(57)【特許請求の範囲】
【請求項１】
Ｘ線発生部とＸ線受像部とを支持部材の両端側にそれぞれ固定すると共に、前記Ｘ線発生部とＸ線受像部との間に天板を配置し、該天板上の患者の腹部等を圧迫するための圧迫桿を駆動する圧迫桿駆動部を備えたＸ線装置において、
前記圧迫桿駆動部を、前記支持部材の回転方向とは独立して回転可能に支持したことを特徴とするＸ線装置。
【発明の詳細な説明】
【０００１】
【発明の属する技術分野】
本発明は、Ｘ線装置に係り、特にＣアームの両端部に取り付けたＸ線発生器，Ｘ線受像器により、天板上の患者の腹部等を圧迫桿で圧迫した状態で、Ｘ線撮影を行うＸ線装置に関する。
【０００２】
【従来の技術】
図５は、従来の圧迫桿を備えたＸ線装置Ｔ0 の要部構成図である。
図５に示すように、Ｘ線装置Ｔ0 は、Ｃアーム（映像系支持部）１０１の上端にはＸ線発生部１０２が固定され、下端にはイメージ・インテンシファイア（Ｉ．Ｉ．）１０３が固定されている。Ｘ線発生部１０２とＩ．Ｉ．１０３との間には、患者（図示せず）を載置する天板１０４が配置されている。
【０００３】
前記Ｃアーム１０１の中央部には患者の腹部等を圧迫する圧迫桿１０５を上下方向（圧迫動作方向）に駆動する圧迫筒１０６が配置されている。Ｃアーム１０１は、Ｘ線装置本体（図示せず）の一部をなすＣアーム回転装置１０７により回転軸Ｒを中心に矢印Ｒ1 方向に回転可能に構成されている。
【０００４】
そして、Ｘ線撮影を行う場合には、例えばバリウム等を服用した患者が天板１０４上に仰臥され、患者の腹部が圧迫桿１０５により所定の方向・強度でＸ線錐の中心線Ｃに沿って圧迫動作され、所定条件のＸ線撮影が行なわれる。
【０００５】
【発明が解決しようとする課題】
しかしながら、従来のＸ線装置Ｔ0 では、図６（Ａ）に示すように、圧迫桿１０５および圧迫筒１０６がＣアーム１０１と同時に同方向に回転される。そのために、図６（Ｂ）に示すように、Ｘ線で透視・撮影する方向Ｙ1 と、圧迫する方向Ｙ2 とを変えることができなかった。なお、Ｈは、Ｘ線装置本体の設置方向（水平線方向）である。
【０００６】
また、Ｘ線装置によってはＡＰ（antero-posterior、腹背方向）・ＰＡ（postero-anterior、後前方向）の切替え可能なタイプがあるが、かかるタイプのＸ線装置で圧迫桿１０５を使用した場合には、ＡＰまたはＰＡのいずれか一方からの撮影しか行えなかった。
そこで、本発明の目的は、Ｘ線で透視・撮影する方向と圧迫桿で圧迫する方向とが、相互に独立して動作可能なＸ線装置を提供することである。
【０００７】
【課題を解決するための手段】
前記課題を解決するために、請求項１記載の発明は、Ｘ線発生部とＸ線受像部とを支持部材の両端側にそれぞれ固定すると共に、前記Ｘ線発生部とＸ線受像部との間に天板を配置し、該天板上の患者の腹部等を圧迫するための圧迫桿を駆動する圧迫桿駆動部を備えたＸ線装置において、
前記圧迫桿駆動部を、前記支持部材の回転方向とは独立して回転可能に支持したことを特徴とする。
【０００８】
請求項１記載の発明によれば、例えば、図２に示すように、圧迫桿駆動部（圧迫筒）４を、支持部材（Ｃアーム）１０１の回転方向とは独立して回転可能に支持する。従って、天板上１０４の患者（図示せず）の圧迫部位を圧迫桿１０５で圧迫できるので、Ｘ線発生器１０２とＸ線受像機（Ｉ．Ｉ．）１０３の撮影方向の観点から見ると患者を斜視することが可能になり、診断能を向上させることができる。
【０００９】
【発明の実施の形態】
以下、本発明の実施形態例を図面に基づいて説明する。なお、既に説明した部分には同一符号を付し、重複記載を省略する。
図１（Ａ），（Ｂ）は、本実施形態例のＸ線装置Ｔ1 の正面図および側面図である。該Ｘ線装置Ｔ1 は、ＡＰ（腹背方向）・ＰＡ（後前方向）の切替え可能なタイプである。
【００１０】
図１（Ａ），（Ｂ）に示すように、Ｃアーム回転装置１０７の左側面には円筒状の圧迫筒支持部材１が水平方向Ｈに平行に突設され、該圧迫筒支持部材１の中心軸は前記圧迫筒回転中心軸Ｒに一致されている。圧迫筒支持部材１の基部側には従動スプロケット２が回転可能に外嵌され、該支持部材１の先端部には軸受３の内輪が固定されている。
【００１１】
また、軸受３の外輪には縦長直方体状の圧迫筒４の右側面が固定されている。
従って、圧迫筒４は圧迫筒支持部材１の先端部で、中心軸Ｒを中心として回転可能である。該圧迫筒４の左側面には、圧迫桿１０５が上下動（圧迫動作方向）可能に取り付けられている。また、圧迫桿１０５は、支点１０５ａを中心に矢印Ｒ2 方向に回転可能に構成されている。
【００１２】
前記Ｃアーム回転装置１０７の手前側面にモータ５が固定され、該モータ５の出力軸に駆動スプロケット６が取り付けられている。前記従動スプロケット２と駆動スプロケット６との間にはチェーン（図示せず）が掛け渡され、モータ５の回転は駆動スプロケット６，チェーンを介して従動スプロケット２に伝達される。
【００１３】
モータ５の背面側にはブレーキ７が取り付けられ、該ブレーキ７の作動により圧迫筒４が所望の角度（図２参照）に一時固定される。
次に動作を説明する。なお、前述の如く本実施形態例のＸ線装置Ｔ1 はＡＰ・ＰＡの切替え可能なタイプなので、ＡＰ・ＰＡに分けて説明する。
（１）ＡＰに設定した場合の圧迫筒，圧迫桿の動作
図１（Ａ），（Ｂ）に示すように、水平方向Ｈに対してＣアーム１０１が垂直に一時固定されている場合には、天板１０４上に仰臥した患者（図示せず）の腹部等に対して圧迫桿１０５が上下動される。そして、Ｘ線発生器１０２から下方に向けてＸ線が照射され、Ｉ．Ｉ．１０３で撮像され、Ｃアーム１０１と圧迫桿１０５の両者が垂直に設定された場合のＸ線撮影が行なわれる。
【００１４】
また、図２は、Ｃアーム１０１が垂線に対して角度αだけ傾斜され、且つ、圧迫筒４，圧迫桿１０５が垂線方向に駆動される場合の正面図である。
この場合は、先ず、モータ５が駆動されて圧迫筒４がＣアーム１０１の中心軸に対して角度αだけ傾けられ、この角度αの状態でブレーキ７が作動されて一時固定される。
【００１５】
次いで、天板１０４上の患者（図示せず）の腹部等が垂直方向に圧迫桿１０５により撮影条件の深さまで圧迫され、Ｘ線撮影が行なわれる。
このようにすれば、天板１０４上に仰臥した患者に対して圧迫桿１０５で圧迫した場合に、所望の角度からＸ線撮影を行うことができる。
（２）ＰＡに設定した場合の圧迫筒，圧迫桿の動作
図３（Ａ），（Ｂ）は、Ｘ線装置Ｔ1 がＡＰの状態（図１（Ａ）参照）から切り替えられてＰＡの状態に設定されたときの正面図および側面図である。
【００１６】
そして、Ｘ線撮影を行う場合には、Ｘ線発生器１０２から上方に向けてＸ線が照射され、Ｉ．Ｉ．１０３で撮像されて所望のＸ線撮影が行なわれる。
また、図４は、Ｃアーム１０１が垂線に対して角度βだけ傾斜され、且つ、圧迫筒４，圧迫桿１０５が垂線方向に駆動される場合の正面図である。
【００１７】
この場合は、先ず、モータ５が駆動されて圧迫筒４がＣアーム１０１の中心軸に対して角度βだけ傾けられ、この角度βの状態でブレーキ７が作動されて一時固定される。
【００１８】
次いで、天板１０４上の患者（図示せず）の腹部等が垂直方向に圧迫桿１０５で撮影条件の深さまで圧迫され、Ｘ線撮影が行なわれる。
このようにすれば、天板１０４上に仰臥した患者に対して圧迫桿１０５で圧迫した場合に、所望の角度からＸ線撮影を行うことができる。
【００１９】
なお、本実施形態例ではＣアームと圧迫筒との角度設定を駆動，従動スプロケットで行う場合を説明したが、例えば歯車，プーリを用いてもよい。
また、本実施形態例ではＣアームの回転軸と圧迫筒の回転軸とを共通にしたが、Ｃアームの回転軸と圧迫筒の回転軸とを別にしてもよい。
【００２０】
【発明の効果】
以上説明したように請求項１記載の発明によれば、圧迫桿駆動部を、支持部材（Ｃアーム）の回転方向とは独立して回転可能に支持したので、天板上の患者の圧迫部位を斜視することが可能になり、診断能を向上させることができる。
【図面の簡単な説明】
【図１】本発明の実施形態例のＡＰ設定の場合の正面図および側面図である。
【図２】同実施形態例において、ＡＰ設定の場合に圧迫方向が垂直で、且つＣアームを傾けて撮影する場合の状態図である。
【図３】同実施形態例において、ＰＡ設定の場合の正面図および側面図である。
【図４】同実施形態例において、ＰＡ設定の場合に圧迫方向が垂直で、且つＣアームを傾けて撮影する場合の状態図である。
【図５】従来のＸ線装置の側面図である。
【図６】従来のＸ線装置の不都合を説明する図である。
【符号の説明】
１  水平方向
１  圧迫筒支持部材
２  従動スプロケット
３  軸受
４  圧迫筒
５  モータ
６  駆動スプロケット
７  ブレーキ
１０１  Ｃアーム
１０２  Ｘ線発生器
１０３  Ｉ．Ｉ．
【図１】
0003695879.tif 000002
【図２】
0003695879.tif 000003
【図３】
0003695879.tif 000004
【図４】
0003695879.tif 000005
【図５】
0003695879.tif 000006
【図６】
0003695879.tif 000007